(57)【特許請求の範囲】
【請求項１】
ｍ×ｎ本のＬＡＮケーブル（３1〜３18）がｍ行×ｎ列のマトリックス状に配置されて接続された装置（１）において該ｍ×ｎ本のＬＡＮケーブルのうちの１本である第ｐ行目の第ｑ列目に配置された作業対象ＬＡＮケーブル（３10）について作業を行う際に作業箇所を区画するためのＬＡＮケーブル作業区画冶具であって、
前記ｍ×ｎ本のＬＡＮケーブルのうち第ｐ−１行目に配置されたｎ本のＬＡＮケーブル（３1〜３6）の接続部分を載せて斜め上側に上げるための第１の仕分け板（１０）と、
前記ｍ×ｎ本のＬＡＮケーブルのうち前記第ｐ行目に配置された他のｎ本のＬＡＮケーブル（３7〜３12）の接続部分を載せて斜め下側に下げるための第２の仕分け板（１０）と、
前記第１および第２の仕分け板の左右端部がそれぞれ取り付けられる、かつ、前記装置が設置された装置架のフレーム（２）に取付け可能な左側および右側接続コネクタ（３０Ｌ，３０Ｒ）と、
前記第１の仕分け板と前記第２の仕分け板との間の第ｑ−１列目と前記第ｑ列目との間および前記第ｑ列目と第ｑ＋１列目との間にそれぞれ差し込んで該第１および第２の仕分け板と共に前記作業対象ＬＡＮケーブルの接続箇所を取り囲むための第１および第２の仕切り板（４１〜４３）とを具備し、
前記第１の仕分け板を前記第ｐ−１行目に配置された前記ｎ本のＬＡＮケーブルと前記第ｐ行目に配置された前記他のｎ本のＬＡＮケーブルとの間に挿入し、前記第２の仕分け板を前記第ｐ行目に配置された前記他のｎ本のＬＡＮケーブルと第ｐ＋１行目に配置された別のｎ本のＬＡＮケーブルとの間に挿入し、該第１および第２の仕分け板の左右端部を前記左側および右側接続コネクタにそれぞれ取り付けたのち、該左側および右側接続コネクタを前記フレームに取り付ける、
ことを特徴とする、ＬＡＮケーブル作業区画冶具。
【請求項２】
前記第１の仕分け板が、
第１の仕分け板取付板（１１）と、
第１の蛇腹部材（１２）と、
後面が前記第１の仕分け板取付板の前面に固定された第１の蛇腹部材取付板（１３）と、
第１の蛇腹部材開閉板（１４）とを備え、
前記第２の仕分け板が、
第２の仕分け板取付板（１１）と、
第２の蛇腹部材（１２）と、
後面が前記第２の仕分け板取付板の前面に固定された第２の蛇腹部材取付板（１３）と、
第２の蛇腹部材開閉板（１４）とを備え、
前記第１の仕分け板取付板の上面および下面の左右端部に、第１の左上面、左下面、右上面および右下面溝（１１ａ）が、該第１の仕分け板取付板の前面から後面まで該第１の仕分け板取付板の左右側面に平行にそれぞれ形成されており、
前記第２の仕分け板取付板の上面および下面の左右端部に、第２の左上面、左下面、右上面および右下面溝（１１ａ）が、該第２の仕分け板取付板の前面から後面まで該第２の仕分け板取付板の左右側面に平行にそれぞれ形成されており、
前記第１および第２の蛇腹部材が、後面が前記第１および第２の蛇腹部材取付板の前面にそれぞれ取り付けられるとともに、前面が前記第１および第２の蛇腹部材開閉板の後面にそれぞれ取り付けられており、該第１および第２の蛇腹部材開閉板を前記第１および第２の仕分け板取付板と反対側に向かって引くと開くようにされている、
ことを特徴とする、請求項１記載のＬＡＮケーブル作業区画冶具。
【請求項３】
両端部が直角に同じ向きに曲げられた第１乃至第４のロック棒（２１）をさらに具備し、
前記第１の蛇腹部材取付板および前記第１の蛇腹部材開閉板の左側面に、前記第１のロック棒の両端部をそれぞれ差し込むための第１および第２の左側差込穴（１３ａ，１４ａ）がそれぞれ形成されており、
前記第１の蛇腹部材取付板および前記第１の蛇腹部材開閉板の右側面に、前記第２のロック棒の両端部をそれぞれ差し込むための第１および第２の右側差込穴（１３ａ，１４ａ）がそれぞれ形成されており、
前記第２の蛇腹部材取付板および前記第２の蛇腹部材開閉板の左側面に、前記第３のロック棒の両端部をそれぞれ差し込むための第３および第４の左側差込穴（１３ａ，１４ａ）がそれぞれ形成されており、
前記第２の蛇腹部材取付板および前記第２の蛇腹部材開閉板の右側面に、前記第４のロック棒の両端部をそれぞれ差し込むための第３および第４の右側差込穴（１３ａ，１４ａ）が形成されている、
ことを特徴とする、請求項２記載のＬＡＮケーブル作業区画冶具。
【請求項４】
前記左側および右側接続コネクタが、後面が平面とされるとともに前面が曲面とされた板状のものであり、
前記左側および右側接続コネクタの後面に、該左側および右側接続コネクタを前記フレームに吸着させて取り付けるための平板状の磁石がそれぞれ取り付けられており、
前記左側接続コネクタ（３０Ｌ）の右側面（３１Ｒ）に、前記第１の仕分け板をスライドさせて該左側接続コネクタに取り付ける際に前記第１の仕分け板取付板の前記第１の左上面および左下面溝にそれぞれ挿入されて該第１の仕分け板を案内するための２本の左側案内用レール部を備えた第１および第２の左側仕分け板取付板差込溝（３２Ｌ1，３２Ｌ2）と、前記第２の仕分け板をスライドさせて該左側接続コネクタに取り付ける際に前記第２の仕分け板取付板の前記第２の左上面および左下面溝にそれぞれ挿入されて該第２の仕分け板を案内するための２本の他の左側案内用レール部を備えた第３および第４の左側仕分け板取付板差込溝（３２Ｌ3，３２Ｌ4）とが、該左側接続コネクタの前面から該左側接続コネクタの横方向の中央部付近まで形成されており、
前記右側接続コネクタ（３０Ｒ）の左側面（３１Ｌ）に、前記第１の仕分け板をスライドさせて該右側接続コネクタに取り付ける際に前記第１の仕分け板取付板の前記第１の右上面および右下面溝にそれぞれ挿入されて該第１の仕分け板を案内するための２本の右側案内用レール部を備えた第１および第２の右側仕分け板取付板差込溝（３２Ｒ1，３２Ｒ2）と、前記第２の仕分け板をスライドさせて該右側接続コネクタに取り付ける際に前記第２の仕分け板取付板の前記第２の右上面および右下面溝にそれぞれ挿入されて該第２の仕分け板を案内するための２本の他の右側案内用レール部を備えた第３および第４の右側仕分け板取付板差込溝（３２Ｒ3，３２Ｒ4）とが、該右側接続コネクタの前面から該右側接続コネクタの横方向の中央部付近まで形成されており、
前記第１乃至第４の左側仕分け板取付板差込溝が、該第１および第４の左側仕分け板取付板差込溝の長手方向に沿った延長線が９０°で交差し、該第１および第３の左側仕分け板取付板差込溝の長手方向に沿った延長線が７５°で交差し、該第２および第４の左側仕分け板取付板差込溝の長手方向に沿った延長線が７５°で交差し、該第２および第３の左側仕分け板取付板差込溝の長手方向に沿った延長線が６０°で交差するように、形成されており、
前記第１乃至第４の右側仕分け板取付板差込溝が、該第１および第４の右側仕分け板取付板差込溝の長手方向に沿った延長線が９０°で交差し、該第１および第３の右側仕分け板取付板差込溝の長手方向に沿った延長線が７５°で交差し、該第２および第４の右側仕分け板取付板差込溝の長手方向に沿った延長線が７５°で交差し、該第２および第３の右側仕分け板取付板差込溝の長手方向に沿った延長線が６０°で交差するように、形成されている、
ことを特徴とする、請求項２または３記載のＬＡＮケーブル作業区画冶具。
【請求項５】
前記第１および第２の仕切り板として、第１および第２の９０°用仕切り板（４１）と第１および第２の７５°用仕切り板（４２）と第１および第２の６０°用仕切り板（４３）とを備え、
前記第１および第２の９０°用仕切り板が、後面が上底面とされ、前面が下底面とされるとともに下底の端点にある２つの角が４５°とされた等脚台形板の形状を有し、
前記第１および第２の７５°用仕切り板が、後面が上底面とされ、前面が下底面とされるとともに下底の端点にある２つの角が５２．５°とされた等脚台形板の形状を有し、
前記第１および第２の６０°用仕切り板が、後面が上底面とされ、前面が下底面とされるとともに下底の端点にある２つの角が６０°とされた等脚台形板の形状を有する、
ことを特徴とする、請求項４記載のＬＡＮケーブル作業区画冶具。
【発明の詳細な説明】
【技術分野】
【０００１】
本発明は、パッチパネルのようにｍ×ｎ本のＬＡＮケーブルが前面にマトリックス状に配置されて接続された装置において１本のＬＡＮケーブルについて作業を行う際に作業箇所を区画するのに好適なＬＡＮケーブル作業区画冶具に関する。
【背景技術】
【０００２】
たとえば、図７に示すように前面に第１乃至第１８のＬＡＮケーブル３1〜３18が３行×６列（ｍ＝３，ｎ＝６）のマトリックス状に配置されて接続されたパッチパネル１（パッチパネル架のフレーム２（横方向の間隔＝６００ｍｍ）に設置されている。）において、たとえばパッチパネル１の中心部分である第２行目の第４列目に配置された第１０のＬＡＮケーブル３10について作業を行う場合には、他のＬＡＮケーブル（特に、作業対象ＬＡＮケーブルである第１０のＬＡＮケーブル３10を取り囲む第３乃至第５、第９、第１１および第１５乃至第１７のＬＡＮケーブル３3〜３5，３9，３11，３15〜３17）が邪魔になって作業箇所（作業対象ＬＡＮケーブルの接続箇所）が見難く、作業がし難い。
【０００３】
そのため、従来では、作業個所の特定の邪魔にならないようにビニールテープなどで他のＬＡＮケーブルを止めることにより作業区画を行ったのち、作業対象ＬＡＮケーブル（第１０のＬＡＮケーブル３10）について作業を行っている。
【０００４】
なお、下記の特許文献１には、整線作業性を向上させ、省人化および作業時間の短縮化を図るために、延線される多条のケーブルを自動的に仕分けられるように、一対のサイドガイド板をローラ取付ブラケットの基部上に前後方向に延設し、三角形に形成された仕分け板をサイドガイド板間を等分に区画するように基部上に延設し、サイドローラおよび仕分けローラをサイドガイド板および仕分け板のそれぞれの後端に近接して基部上に立設し、ケーブル摩擦防止用ローラを仕分け板により区画された区画内の前後側に配設するようにした整線コロが開示されている。
【先行技術文献】
【特許文献】
【０００５】
【特許文献１】特開２０００−２７８８３５号公報
【発明の概要】
【発明が解決しようとする課題】
【０００６】
しかしながら、上述したビニールテープなどを用いて作業区画を行う手法では、作業対象ＬＡＮケーブルを取り囲む他のＬＡＮケーブルをビニールテープなどで止める必要があるとともに、作業終了後にはビニールテープなどを他のＬＡＮケーブルから取り外す必要があるため、作業箇所を区画するのに手間が掛るという問題があった。
また、ビニールテープの粘着が弱いと作業途中で外れ作業中断し、ビニールテープの粘着が強いと外すときにＬＡＮケーブルを傷つける恐れがあるという問題があった。
【０００７】
本発明の目的は、作業箇所区画作業の効率化を図ることができるＬＡＮケーブル作業区画冶具を提供することにある。
【課題を解決するための手段】
【０００８】
本発明のＬＡＮケーブル作業区画冶具は、ｍ×ｎ本のＬＡＮケーブル（３1〜３18）がｍ行×ｎ列のマトリックス状に配置されて接続された装置（１）において該ｍ×ｎ本のＬＡＮケーブルのうちの１本である第ｐ行目の第ｑ列目に配置された作業対象ＬＡＮケーブル（３10）について作業を行う際に作業箇所を区画するためのＬＡＮケーブル作業区画冶具であって、前記ｍ×ｎ本のＬＡＮケーブルのうち第ｐ−１行目に配置されたｎ本のＬＡＮケーブル（３1〜３6）の接続部分を載せて斜め上側に上げるための第１の仕分け板（１０）と、前記ｍ×ｎ本のＬＡＮケーブルのうち前記第ｐ行目に配置された他のｎ本のＬＡＮケーブル（３7〜３12）の接続部分を載せて斜め下側に下げるための第２の仕分け板（１０）と、前記第１および第２の仕分け板の左右端部がそれぞれ取り付けられる、かつ、前記装置が設置された装置架のフレーム（２）に取付け可能な左側および右側接続コネクタ（３０Ｌ，３０Ｒ）と、前記第１の仕分け板と前記第２の仕分け板との間の第ｑ−１列目と前記第ｑ列目との間および前記第ｑ列目と第ｑ＋１列目との間にそれぞれ差し込んで該第１および第２の仕分け板と共に前記作業対象ＬＡＮケーブルの接続箇所を取り囲むための第１および第２の仕切り板（４１〜４３）とを具備し、前記第１の仕分け板を前記第ｐ−１行目に配置された前記ｎ本のＬＡＮケーブルと前記第ｐ行目に配置された前記他のｎ本のＬＡＮケーブルとの間に挿入し、前記第２の仕分け板を前記第ｐ行目に配置された前記他のｎ本のＬＡＮケーブルと第ｐ＋１行目に配置された別のｎ本のＬＡＮケーブルとの間に挿入し、該第１および第２の仕分け板の左右端部を前記左側および右側接続コネクタにそれぞれ取り付けたのち、該左側および右側接続コネクタを前記フレームに取り付ける、
ことを特徴とする。
ここで、前記第１の仕分け板が、第１の仕分け板取付板（１１）と、第１の蛇腹部材（１２）と、後面が前記第１の仕分け板取付板の前面に固定された第１の蛇腹部材取付板（１３）と、第１の蛇腹部材開閉板（１４）とを備え、前記第２の仕分け板が、第２の仕分け板取付板（１１）と、第２の蛇腹部材（１２）と、後面が前記第２の仕分け板取付板の前面に固定された第２の蛇腹部材取付板（１３）と、第２の蛇腹部材開閉板（１４）とを備え、前記第１の仕分け板取付板の上面および下面の左右端部に、第１の左上面、左下面、右上面および右下面溝（１１ａ）が、該第１の仕分け板取付板の前面から後面まで該第１の仕分け板取付板の左右側面に平行にそれぞれ形成されており、前記第２の仕分け板取付板の上面および下面の左右端部に、第２の左上面、左下面、右上面および右下面溝（１１ａ）が、該第２の仕分け板取付板の前面から後面まで該第２の仕分け板取付板の左右側面に平行にそれぞれ形成されており、前記第１および第２の蛇腹部材が、後面が前記第１および第２の蛇腹部材取付板の前面にそれぞれ取り付けられるとともに、前面が前記第１および第２の蛇腹部材開閉板の後面にそれぞれ取り付けられており、該第１および第２の蛇腹部材開閉板を前記第１および第２の仕分け板取付板と反対側に向かって引くと開くようにされていてもよい。
両端部が直角に同じ向きに曲げられた第１乃至第４のロック棒（２１）をさらに具備し、前記第１の蛇腹部材取付板および前記第１の蛇腹部材開閉板の左側面に、前記第１のロック棒の両端部をそれぞれ差し込むための第１および第２の左側差込穴（１３ａ，１４ａ）がそれぞれ形成されており、前記第１の蛇腹部材取付板および前記第１の蛇腹部材開閉板の右側面に、前記第２のロック棒の両端部をそれぞれ差し込むための第１および第２の右側差込穴（１３ａ，１４ａ）がそれぞれ形成されており、前記第２の蛇腹部材取付板および前記第２の蛇腹部材開閉板の左側面に、前記第３のロック棒の両端部をそれぞれ差し込むための第３および第４の左側差込穴（１３ａ，１４ａ）がそれぞれ形成されており、前記第２の蛇腹部材取付板および前記第２の蛇腹部材開閉板の右側面に、前記第４のロック棒の両端部をそれぞれ差し込むための第３および第４の右側差込穴（１３ａ，１４ａ）が形成されていてもよい。
前記左側および右側接続コネクタが、後面が平面とされるとともに前面が曲面とされた板状のものであり、前記左側および右側接続コネクタの後面に、該左側および右側接続コネクタを前記フレームに吸着させて取り付けるための平板状の磁石がそれぞれ取り付けられており、前記左側接続コネクタ（３０Ｌ）の右側面（３１Ｒ）に、前記第１の仕分け板をスライドさせて該左側接続コネクタに取り付ける際に前記第１の仕分け板取付板の前記第１の左上面および左下面溝にそれぞれ挿入されて該第１の仕分け板を案内するための２本の左側案内用レール部を備えた第１および第２の左側仕分け板取付板差込溝（３２Ｌ1，３２Ｌ2）と、前記第２の仕分け板をスライドさせて該左側接続コネクタに取り付ける際に前記第２の仕分け板取付板の前記第２の左上面および左下面溝にそれぞれ挿入されて該第２の仕分け板を案内するための２本の他の左側案内用レール部を備えた第３および第４の左側仕分け板取付板差込溝（３２Ｌ3，３２Ｌ4）とが、該左側接続コネクタの前面から該左側接続コネクタの横方向の中央部付近まで形成されており、前記右側接続コネクタ（３０Ｒ）の左側面（３１Ｌ）に、前記第１の仕分け板をスライドさせて該右側接続コネクタに取り付ける際に前記第１の仕分け板取付板の前記第１の右上面および右下面溝にそれぞれ挿入されて該第１の仕分け板を案内するための２本の右側案内用レール部を備えた第１および第２の右側仕分け板取付板差込溝（３２Ｒ1，３２Ｒ2）と、前記第２の仕分け板をスライドさせて該右側接続コネクタに取り付ける際に前記第２の仕分け板取付板の前記第２の右上面および右下面溝にそれぞれ挿入されて該第２の仕分け板を案内するための２本の他の右側案内用レール部を備えた第３および第４の右側仕分け板取付板差込溝（３２Ｒ3，３２Ｒ4）とが、該右側接続コネクタの前面から該右側接続コネクタの横方向の中央部付近まで形成されており、前記第１乃至第４の左側仕分け板取付板差込溝が、該第１および第４の左側仕分け板取付板差込溝の長手方向に沿った延長線が９０°で交差し、該第１および第３の左側仕分け板取付板差込溝の長手方向に沿った延長線が７５°で交差し、該第２および第４の左側仕分け板取付板差込溝の長手方向に沿った延長線が７５°で交差し、該第２および第３の左側仕分け板取付板差込溝の長手方向に沿った延長線が６０°で交差するように、形成されており、前記第１乃至第４の右側仕分け板取付板差込溝が、該第１および第４の右側仕分け板取付板差込溝の長手方向に沿った延長線が９０°で交差し、該第１および第３の右側仕分け板取付板差込溝の長手方向に沿った延長線が７５°で交差し、該第２および第４の右側仕分け板取付板差込溝の長手方向に沿った延長線が７５°で交差し、該第２および第３の右側仕分け板取付板差込溝の長手方向に沿った延長線が６０°で交差するように、形成されていてもよい。
前記第１および第２の仕切り板として、第１および第２の９０°用仕切り板（４１）と第１および第２の７５°用仕切り板（４２）と第１および第２の６０°用仕切り板（４３）とを備え、前記第１および第２の９０°用仕切り板が、後面が上底面とされ、前面が下底面とされるとともに下底の端点にある２つの角が４５°とされた等脚台形板の形状を有し、前記第１および第２の７５°用仕切り板が、後面が上底面とされ、前面が下底面とされるとともに下底の端点にある２つの角が５２．５°とされた等脚台形板の形状を有し、前記第１および第２の６０°用仕切り板が、後面が上底面とされ、前面が下底面とされるとともに下底の端点にある２つの角が６０°とされた等脚台形板の形状を有してもよい。
【発明の効果】
【０００９】
本発明のＬＡＮケーブル作業区画冶具は、以下に示す効果を奏する。
（１）第ｐ行目の第ｑ列目に配置された作業対象ＬＡＮケーブルについて作業を行う際に、第１および第２の仕分け板を第ｐ−１行目と第ｐ行目との間および第ｐ行目と第ｐ＋１行目との間にそれぞれ挿入し、第１および第２の仕切り板を第１の仕分け板と第２の仕分け板との間の第ｑ−１列目と第ｑ列目との間および第ｑ列目と第ｑ＋１列目との間にそれぞれ差し込むことにより、第１および第２の仕分け板と第１および第２の仕切り板とで作業対象ＬＡＮケーブルの接続箇所を取り囲むことができるため、簡単に作業箇所を区画することができる。
（２）作業箇所を明確にできるため、作業員が作業箇所を間違えることを防止することができる。
（３）ＬＡＮケーブルが少ない箇所でも作業箇所の区画標示として使用できる。
【図面の簡単な説明】
【００１０】
【図１】本発明の一実施例によるＬＡＮケーブル作業区画冶具の構成要素の構成を示す図であり、（ａ）および（ｂ）は仕分け板１０およびロック棒２１の構成を示す、蛇腹部材取付板１３および蛇腹部材開閉板１４を断面で示した上面図であり、（ｃ）は左側接続コネクタ３０Ｌの構成を示す右側面図であり、（ｄ）は右側接続コネクタ３０Ｒの構成を示す左側面図である。
【図２】本発明の一実施例によるＬＡＮケーブル作業区画冶具の構成要素である仕切り板の構成を示す図であり、（ａ）〜（ｃ）は９０°用、７５°用および６０°用仕切り板４１〜４３の構成をそれぞれ示す右側面図である。
【図３】図１（ｃ）に示した左側接続コネクタ３０Ｌの構成について説明するための図であり、（ａ）および（ｂ）は仕分け板１０を左側接続コネクタ３０Ｌの第１の左側仕分け板取付板差込溝３２Ｌ1に取り付ける前後の状態をそれぞれ示す図である。
【図４】本発明の一実施例によるＬＡＮケーブル作業区画冶具の使用方法について説明するための正面図である。
【図５】本発明の一実施例によるＬＡＮケーブル作業区画冶具の使用方法について説明するための正面図である。
【図６】本発明の一実施例によるＬＡＮケーブル作業区画冶具の使用方法について説明するための正面図である。
【図７】従来のＬＡＮケーブル作業方法について説明するための図である。
【発明を実施するための形態】
【００１１】
上記の目的を、第ｐ行目の第ｑ列目に配置された作業対象ＬＡＮケーブルについて作業を行う際に、第１および第２の仕分け板を第ｐ−１行目と第ｐ行目との間および第ｐ行目と第ｐ＋１行目との間にそれぞれ挿入し、第１および第２の仕切り板を第１の仕分け板と第２の仕分け板との間の第ｑ−１列目と第ｑ列目との間および第ｑ列目と第ｑ＋１列目との間にそれぞれ差し込むことにより、作業対象ＬＡＮケーブルの接続箇所を第１および第２の仕分け板と第１および第２の仕切り板とで取り囲むことにより実現した。
【実施例１】
【００１２】
以下、本発明のＬＡＮケーブル作業区画冶具の実施例について、図面を参照して説明する。
本発明の一実施例によるＬＡＮケーブル作業区画冶具は、２つの仕分け板１０と、４本のロック棒２１と、左側接続コネクタ３０Ｌおよび右側接続コネクタ３０Ｒと、２つの９０°用仕切り板４１と、２つの７５°用仕切り板４２と、２つの６０°用仕切り板４３とを具備する。
なお、以下の説明では、仕分け板１０の図１（ａ）紙面表側の面を「上面」、同図紙面裏側の面を「下面」、同図紙面上側の面を「前面」、同図紙面下側の面を「後面」、同図紙面左側の面を「左側面面」、同図紙面右側の面を「右側面面」、同図紙面横方向の長さを「横寸法」、同図紙面縦方向の長さを「縦寸法」、同図紙面に垂直方向の長さを「厚さ寸法」とする。
【００１３】
仕分け板１０は、図１（ａ），（ｂ）に示すように、仕分け板１０を左側接続コネクタ３０Ｌおよび右側接続コネクタ３０Ｒに取り付けるための仕分け板取付板１１（横６００ｍｍ×縦２０ｍｍ×厚さ１０ｍｍ）と、蛇腹部材１２（開いた状態の縦寸法≒１００ｍｍ）と、後面（蛇腹部材１２と反対側の面）が仕分け板取付板１１の前面（蛇腹部材１２側の面）に固定された蛇腹部材取付板１３（横４００ｍｍ×縦１０ｍｍ×厚さ８ｍｍ）と、蛇腹部材取付板１３と同一形状および同一寸法の蛇腹部材開閉板１４とを備える。
【００１４】
仕分け板取付板１１の上面および下面の左右端部には、溝１１ａ（左上面溝、左下面溝、右上面溝、右下面溝）が、仕分け板取付板１１の前面から後面まで仕分け板取付板１１の左右側面に平行に形成されている。
【００１５】
蛇腹部材１２は、後面が蛇腹部材取付板１３の前面に取り付けられるとともに前面が蛇腹部材開閉板１４の後面に取り付けられており、蛇腹部材開閉板１４を仕分け板取付板１１と反対側に向かって引くと開くようにされている。
【００１６】
蛇腹部材取付板１３および蛇腹部材開閉板１４の左右側面には、開口面が矩形状とされた差込穴１３ａ，１４ａ（第１および第２の左側差込穴と第１および第２の右側差込穴）が形成されている。
また、ロック棒２１は、図１（ｂ）に示すように、両端部が直角に同じ向きに曲げられた１本の金属矩形断面棒（両端部間の長さ＝１００ｍｍ）から構成されている。
これにより、同図に矢印で示すように２本のロック棒２１の一方の端部を蛇腹部材取付板１３の左右側面に形成された差込穴１４ａ（第１の左側および右側差込穴）にそれぞれ差し込むとともに２本のロック棒２１の他方の端部を蛇腹部材開閉板１４の左右側面に形成された差込穴１３ａ（第２の左側および右側差込穴）にそれぞれ差し込むと、蛇腹部材取付板１３を中心軸として蛇腹部材１２および蛇腹部材開閉板１４が回転することなく蛇腹部材１２を開いた状態に保つことができるようにされている。
【００１７】
左側接続コネクタ３０Ｌは、図１（ｃ）に示すように、後面（同図紙面右側の面）が平面とされるとともに前面が曲面とされた板状（横８０ｍｍ×縦１００ｍｍ×厚さ４０ｍｍ）のものである。
左側接続コネクタ３０Ｌの後面には、左側接続コネクタ３０Ｌをパッチパネル架のフレーム２に吸着させて取り付けるための平板状の磁石（不図示）が取り付けられている。
右側接続コネクタ３０Ｒについても同様である（図１（ｄ）参照）。
【００１８】
左側接続コネクタ３０Ｌの右側面３１Ｒ（図１（ｃ）紙面表側の面）には、第１乃至第４の左側仕分け板取付板差込溝３２Ｌ1〜３２Ｌ4（１組の第１乃至第４の左側仕分け板取付板差込溝）が、左側接続コネクタ３０Ｌの前面から左側接続コネクタ３０Ｌの横方向の中央部付近まで形成されている。
ここで、左側接続コネクタ３０Ｌを上下に２等分する線を「左側２等分線」とすると、第１の左側仕分け板取付板差込溝３２Ｌ1は、その長手方向に沿った延長線と左側２等分線とのなす角が４５°（時計回りを＋とする。以下同様。）となるように形成されており、第２の左側仕分け板取付板差込溝３２Ｌ2は、その長手方向に沿った延長線と左側２等分線とのなす角が３０°となるように形成されており、第３の左側仕分け板取付板差込溝３２Ｌ3は、その長手方向に沿った延長線と左側２等分線とのなす角が−３０°となるように形成されており、第４の左側仕分け板取付板差込溝３２Ｌ4は、その長手方向に沿った延長線と左側２等分線とのなす角が−４５°となるように形成されている。
すなわち、第１乃至第４の左側仕分け板取付板差込溝３２Ｌ1〜３２Ｌ4は、第１および第４の左側仕分け板取付板差込溝３２Ｌ1，３２Ｌ4の長手方向に沿った延長線が９０°で交差し、第１および第３の左側仕分け板取付板差込溝３２Ｌ1，３２Ｌ3の長手方向に沿った延長線が７５°で交差し、第２および第４の左側仕分け板取付板差込溝３２Ｌ2，３２Ｌ4の長手方向に沿った延長線が７５°で交差し、第２および第３の左側仕分け板取付板差込溝３２Ｌ2，３２Ｌ3の長手方向に沿った延長線が６０°で交差するように、形成されている。
【００１９】
右側接続コネクタ３０Ｒの左側面３１Ｌ（図１（ｄ）紙面表側の面）には、図１（ｄ）に示すように、第１乃至第４の右側仕分け板取付板差込溝３２Ｒ1〜３２Ｒ4（１組の第１乃至第４の右側仕分け板取付板差込溝）が、右側接続コネクタ３０Ｒの前面（同図紙面右側の面）から右側接続コネクタ３０Ｒの横方向の中央部付近まで形成されている。
ここで、右側接続コネクタ３０Ｒを上下に２等分する線を「右側２等分線」とすると、第１の右側仕分け板取付板差込溝３２Ｒ1は、その長手方向に沿った延長線と右側２等分線とのなす角が−４５°となるように形成されており、第２の右側仕分け板取付板差込溝３２Ｒ2は、その長手方向に沿った延長線と右側２等分線とのなす角が−３０°となるように形成されており、第３の右側仕分け板取付板差込溝３２Ｒ3は、その長手方向に沿った延長線と右側２等分線とのなす角が３０°となるように形成されており、第４の右側仕分け板取付板差込溝３２Ｒ4は、その長手方向に沿った延長線と右側２等分線とのなす角が４５°となるように形成されている。
すなわち、第１乃至第４の右側仕分け板取付板差込溝３２Ｒ1〜３２Ｒ4は、第１および第４の右側仕分け板取付板差込溝３２Ｒ1，３２Ｒ4の長手方向に沿った延長線が９０°で交差し、第１および第３の右側仕分け板取付板差込溝３２Ｒ1，３２Ｒ3の長手方向に沿った延長線が７５°で交差し、第２および第４の右側仕分け板取付板差込溝３２Ｒ2，３２Ｒ4の長手方向に沿った延長線が７５°で交差し、第２および第３の右側仕分け板取付板差込溝３２Ｒ2，３２Ｒ3の長手方向に沿った延長線が６０°で交差するように、形成されている。
【００２０】
第１の左側仕分け板取付板差込溝３２Ｌ1の左側接続コネクタ３０Ｌの右側面３１Ｒの開口面側の上部および下部には、図３（ａ），（ｂ）に示すように仕分け板１０をスライドさせて左側接続コネクタ３０Ｌに取り付ける際に仕分け板取付板１１の２つの溝１１ａにそれぞれ挿入されて仕分け板１０を案内するための２本の案内用レール部がそれぞれ形成されている。
第２乃至第４の左側仕分け板取付板差込溝３２Ｌ2〜３２Ｌ4と第１乃至第４の右側仕分け板取付板差込溝３２Ｒ1〜３２Ｒ4とについても同様である。
これにより、仕分け板１０を左側および右側接続コネクタ３０Ｌ，３０Ｒにスムーズに取り付けることができるとともに、仕分け板１０を左側および右側接続コネクタ３０Ｌ，３０Ｒを取り付けたのちに左側または右側接続コネクタ３０Ｌ，３０Ｒが左右方向に動いても仕分け板１０が左側および右側接続コネクタ３０Ｌ，３０Ｒから外れることを防止することができる。
【００２１】
なお、左側接続コネクタ３０Ｌの第１の左側仕分け板取付板差込溝３２Ｌ1に差し込んだ仕分け板取付板１１が第１の左側仕分け板取付板差込溝３２Ｌ1から抜け出さないように、第１の左側仕分け板取付板差込溝３２Ｌ1の奥側の上面および下面に板バネを設けて、差し込んだ仕分け板取付板１１と第１の左側仕分け板取付板差込溝３２Ｌ1の上面および下面との間の隙間に板バネが押し潰されるようにするか、第１の左側仕分け板取付板差込溝３２Ｌ1に差し込んだ仕分け板取付板１１の手前の位置の第１の左側仕分け板取付板差込溝３２Ｌ1の上面および下面に板バネを設けて、差し込んだ仕分け板取付板１１の前面を板バネで押えるようにしてもよい。
第２乃至第４の左側仕分け板取付板差込溝３２Ｌ2〜３２Ｌ4および第１乃至第４の右側仕分け板取付板差込溝３２Ｒ1〜３２Ｒ4についても同様である。
【００２２】
２つの９０°用仕切り板４１は、１つの仕分け板１０を左側接続コネクタ３０Ｌの第１の左側仕分け板取付板差込溝３２Ｌ1および右側接続コネクタ３０Ｒの第１の右側仕分け板取付板差込溝３２Ｒ1に取り付けるとともに他の１つの仕分け板１０を左側接続コネクタ３０Ｌの第４の左側仕分け板取付板差込溝３２Ｌ4および右側接続コネクタ３０Ｒの第４の右側仕分け板取付板差込溝３２Ｒ4に取り付け、左側および右側接続コネクタ３０Ｌ，３０Ｒをフレーム２に取り付け、２つの仕分け板１０の蛇腹部材１２を開いたのちに、ロック棒２１で蛇腹部材１２を固定し、２つの仕分け板１０の蛇腹部材１２の間に差し込んで、２つ枚の仕分け板１０の蛇腹部材１２と共に作業箇所を区画するためのものである（図６参照）。
そのため、９０°用仕切り板４１は、図２（ａ）に示すように、後面（同図右側の面）が上底面とされ、前面が下底面とされるとともに下底の端点にある２つの角が４５°とされた等脚台形板の形状を有する。
【００２３】
２つの７５°用仕切り板４２は、１つの仕分け板１０を左側接続コネクタ３０Ｌの第２の左側仕分け板取付板差込溝３２Ｌ2および右側接続コネクタ３０Ｒの第２の右側仕分け板取付板差込溝３２Ｒ2に取り付けるとともに他の１つの仕分け板１０を左側接続コネクタ３０Ｌの第４の左側仕分け板取付板差込溝３２Ｌ4および右側接続コネクタ３０Ｒの第４の右側仕分け板取付板差込溝３２Ｒ4に取り付けるか１つの仕分け板１０を左側接続コネクタ３０Ｌの第１の左側仕分け板取付板差込溝３２Ｌ1および右側接続コネクタ３０Ｒの第１の右側仕分け板取付板差込溝３２Ｒ1に取り付けるとともに他の１つの仕分け板１０を左側接続コネクタ３０Ｌの第３の左側仕分け板取付板差込溝３２Ｌ3および右側接続コネクタ３０Ｒの第３の右側仕分け板取付板差込溝３２Ｒ3に取り付け、左側および右側接続コネクタ３０Ｌ，３０Ｒをフレーム２に取り付け、２つの仕分け板１０の蛇腹部材１２を開いたのちに、ロック棒２１で蛇腹部材１２を固定し、２つの仕分け板１０の蛇腹部材１２の間に差し込んで、２つの仕分け板１０の蛇腹部材１２と共に作業箇所を区画するためものである。
そのため、７５°用仕切り板４２は、図２（ｂ）に示すように、後面（同図右側の面）が上底面とされ、前面が下底面とされるとともに下底の端点にある２つの角が５２．５°とされた等脚台形板の形状を有する。
【００２４】
２つの６０°用仕切り板４３は、１つの仕分け板１０を左側接続コネクタ３０Ｌの第２の左側仕分け板取付板差込溝３２Ｌ2および右側接続コネクタ３０Ｒの第２の右側仕分け板取付板差込溝３２Ｒ2に取り付けるとともに他の１つの仕分け板１０を左側接続コネクタ３０Ｌの第３の左側仕分け板取付板差込溝３２Ｌ3および右側接続コネクタ３０Ｒの第３の右側仕分け板取付板差込溝３２Ｒ3に取り付け、左側および右側接続コネクタ３０Ｌ，３０Ｒをフレーム２に取り付け、２つの仕分け板１０の蛇腹部材１２を開いたのちに、ロック棒２１で蛇腹部材１２を固定し、２つの仕分け板１０の蛇腹部材１２の間に差し込んで、２つの仕分け板１０の蛇腹部材１２と共に作業箇所を区画するためのものである。
そのため、６０°用仕切り板４３は、同図（ｃ）に示すように、後面（同図右側の面）が上底面とされ、前面が下底面とされるとともに下底の端点にある２つの角が６０°とされた等脚台形板の形状を有する。
【００２５】
このように、左側および右側接続コネクタ３０Ｌ，３０Ｒに４本の仕分け板取付板差込溝（第１乃至第４の左側仕分け板取付板差込溝３２Ｌ1〜３２Ｌ4と第１乃至第４の右側仕分け板取付板差込溝３２Ｒ1〜３２Ｒ4）を形成するとともに９０°、７５°および６０°用仕切り板４１〜４３を２つずつ備えることにより、作業対象ＬＡＮケーブルの上下左右に配置された４本のＬＡＮケーブルとの間の間隔に応じて２つの仕分け板１０を左側および右側接続コネクタ３０Ｌ，３０Ｒに取り付ける角度を変えて作業個所を区画することができる。
【００２６】
次に、本実施例によるＬＡＮケーブル作業区画冶具の使用方法について、図４（ａ）に示すようにパッチパネル１の第２行目（ｐ＝２）の第４列目（ｑ＝４）に配置された第１０のＬＡＮケーブル３10を作業対象ＬＡＮケーブルとするとともに２つの仕分け板１０の蛇腹部材１２がなす角を９０°とする場合を例として、図４乃至図６を参照して説明する。
【００２７】
作業員は、図４（ｂ）に矢印で示すように、１つの仕分け板１０（以下、「第１の仕分け板１０」と称する。）を、蛇腹部材開閉板１４が手前となるようにして、パッチパネル１の第１行目に配置された第１乃至第６のＬＡＮケーブル３1〜３6とパッチパネル１の第２行目に配置された第７乃至第１２のＬＡＮケーブル３7〜３12との間に同図左側から第１乃至第６のＬＡＮケーブル３1〜３6を潜らせて挿入したのち、他の１つの仕分け板１０（以下、「第２の仕分け板１０」と称する。）を、蛇腹部材開閉板１４が手前となるようにして、パッチパネル１の第２行目に配置された第７乃至第１２のＬＡＮケーブル３7〜３12とパッチパネル１の第３行目に配置された第１３乃至第１８のＬＡＮケーブル３13〜３18との間に同図左側から第７乃至第１２のＬＡＮケーブル３7〜３12を潜らせて挿入する。
【００２８】
続いて、作業員は、第１の仕分け板１０の仕分け板取付板１１の左右端部を左側接続コネクタ３０Ｌの第１の左側仕分け板取付板差込溝３２Ｌ1および右側接続コネクタ３０Ｒの第１の右側仕分け板取付板差込溝３２Ｒ1に差し込んでいったのち、第２の仕分け板１０の仕分け板取付板１１の左右端部を左側接続コネクタ３０Ｌの第４の左側仕分け板取付板差込溝３２Ｌ4および右側接続コネクタ３０Ｒの第４の右側仕分け板取付板差込溝３２Ｒ4に差し込んでいって、第１および第２の仕分け板１０を左側および右側接続コネクタ３０Ｌ，３０Ｒに取り付ける。その後、作業員は、図５（ａ）に示すように、左側接続コネクタ３０Ｌの裏面（磁石が取り付けられている。）をパッチパネル架のフレーム２に吸着させるとともに右側接続コネクタ３０Ｒの裏面（磁石が取り付けられている。）をパッチパネル架のフレーム２に吸着させて、左側および右側接続コネクタ３０Ｌ，３０Ｒをフレーム２に取り付ける。
【００２９】
続いて、作業員は、図５（ｂ）に矢印で示すように、第１の仕分け板１０の蛇腹部材開閉板１４を手前斜め４５°上に向かって引くことにより第１の仕分け板１０の蛇腹部材１２を開いたのち、第２の仕分け板１０の蛇腹部材開閉板１４を手前斜め４５°下に向かって引くことにより第２の仕分け板１０の蛇腹部材１２を開く。
これにより、第１の仕分け板１０の蛇腹部材１２と第２の仕分け板１０の蛇腹部材１２とは９０°の角度をもって上下に開かれる。
【００３０】
続いて、作業員は、図６に示すように、第１の仕分け板１０の蛇腹部材取付板１３の左端部に形成された差込穴１３ａおよび第１の仕分け板１０の蛇腹部材開閉板１４の左端部に形成された差込穴１４ａに１本のロック棒２１の両端部を差し込むとともに、第１の仕分け板１０の蛇腹部材取付板１３の右端部に形成された差込穴１３ａおよび第１の仕分け板１０の蛇腹部材開閉板１４の右端部に形成された差込穴１４ａに他の１本のロック棒２１の両端部を差し込むことにより、第１の仕分け板１０の蛇腹部材１２を開いた状態に保つ。その後、作業員は、第２の仕分け板１０の蛇腹部材取付板１３の左端部に形成された差込穴１３ａおよび第２の仕分け板１０の蛇腹部材開閉板１４の左端部に形成された差込穴１４ａに別の１本のロック棒２１の両端部を差し込むとともに、第２の仕分け板１０の蛇腹部材取付板１３の右端部に形成された差込穴１３ａおよび第２の仕分け板１０の蛇腹部材開閉板１４の右端部に形成された差込穴１４ａに更に別の１本のロック棒２１の両端部を差し込むことにより、第２の仕分け板１０の蛇腹部材１２を開いた状態に保つ。
これにより、パッチパネル１の第１行目に配置された第１乃至第６のＬＡＮケーブル３1〜３6の接続部分は、第１の仕分け板１０の蛇腹部材１２に載せられて４５°斜め上側に向かって上げられるとともに、パッチパネル１の第２行目に配置された第７乃至第１２のＬＡＮケーブル３7〜３12の接続部分は、第２の仕分け板１０の蛇腹部材１２に載せられて４５°斜め下側に向かって下げられる。
【００３１】
続いて、作業員は、２つの９０°仕切り板４１（以下、同図左側の９０°仕切り板４１を「第１の９０°仕切り板４１」と称し、同図右側の９０°仕切り板４１を「第２の９０°仕切り板４１」と称する。）を、第１の仕分け板１０の蛇腹部材１２と第２の仕分け板１０の蛇腹部材１２と共に第１０のＬＡＮケーブル３10（作業対象ＬＡＮケーブル）を取り囲むように、かつ、パッチパネル１の前面に対して垂直に、後面から先に挿入して少し左右にそれぞれ移動したのち、第１０のＬＡＮケーブル３10の真上に接続された第４のＬＡＮケーブル３4を第１の９０°仕切り板４１の同図左側に位置するように移す。
これにより、作業員は、作業箇所（第１０のＬＡＮケーブル３10の接続箇所）を簡単に区画することができる。
【符号の説明】
【００３２】
１  パッチパネル
２  フレーム
３1〜３18  第１乃至第１８のＬＡＮケーブル
１０  仕分け板
１１  仕分け板取付板
１１ａ  溝
１２  蛇腹部材
１３  蛇腹部材取付板
１３ａ  差込穴
１４  蛇腹部材開閉板
１４ａ  差込穴
２１  ロック棒
３０Ｌ，３０Ｒ  左側および右側接続コネクタ
３１Ｌ，３１Ｒ  左および右側面
３２Ｌ1〜３２Ｌ4，３２Ｒ1〜３２Ｒ4  第１乃至第４の左側および右側仕分け板取付板差込溝
４１，４２，４３  ９０°用、７５°用および６０°用仕切り板
【図１】
0005894448.tif 000002
【図２】
0005894448.tif 000003
【図３】
0005894448.tif 000004
【図４】
0005894448.tif 000005
【図５】
0005894448.tif 000006
【図６】
0005894448.tif 000007
【図７】
0005894448.tif 000008